(57)【要約】【課題】        本発明は、貴重印刷物に適用される偽造・変造防止印刷物に関するものである。【解決手段】    基材の表面に、光学的変化インキにより印刷された第１のメッセージ画像領域と、前記第１のメッセージ画像領域に重ねて、盛り上がりのあるインキにより印刷され、複数の画線からなる万線で構成された第２のメッセージ画像領域を有してなる画像形成体において、前記第２のメッセージ画像領域は、少なくとも一つの情報部及び背景部を有してなり、前記情報部及び前記背景部は互いの部内の画線方向が異なり、前記情報部及び／または前記背景部を含む領域に所定方向に万線の一部の位相をずらして形成された模様画像領域を設けたことを特徴とする。【選択図】      図６
2006123355.tif 000002
【特許請求の範囲】
【請求項１】
基材の表面に、光学的変化インキにより印刷された第１のメッセージ画像領域と、前記第１のメッセージ画像領域に重ねて、盛り上がりのあるインキにより印刷され、複数の画線からなる万線で構成された第２のメッセージ画像領域を有してなる画像形成体において、
前記第２のメッセージ画像領域は、少なくとも一つの情報部及び背景部を有してなり、
前記情報部及び前記背景部は互いの部内の画線方向が異なり、
前記情報部及び／または前記背景部を含む領域に所定方向に万線の一部の位相をずらして形成された模様画像領域を設けたことを特徴とする画像形成体。
【請求項２】
前記模様画像領域が、立体的なモチーフを二次元に表現したレリーフ模様であることを特徴とした請求項1記載の画像形成体。
【請求項３】
前記光学的変化インキが、パールインキであることを特徴とした請求項１又は２記載の画像形成体。
【発明の詳細な説明】
【技術分野】
【０００１】
本発明は、銀行券、株券、パスポート、有価証券、通行券、カード、商品タグ等の偽造及び変造を防止する必要性のある貴重印刷物に適用される画像形成体に関するものである。
【背景技術】
【０００２】
従来、銀行券、株券、パスポート、有価証券、通行券、カード、商品タグ等の偽造、変造を防止する必要性のある貴重印刷物において、印刷物に対して垂直方向から傾けて観察することにより潜像画像の出現又は色彩の変化をさせて真偽判別を行う技術は公知であり、凹版印刷物の画線構成を利用して潜像画像を出現させるもの、光学的変化インキを利用して色彩を変化させるもの等が挙げられる。また、視覚的な偽造防止効果を与えるため、通常、券面に細かな模様が印刷される。一般的に広く利用されている偽造防止用の模様は、レリーフ模様が挙げられる。このレリーフ模様は、立体的な何らかのモチーフを、二次元平面に表現した模様である。
【０００３】
前記凹版印刷物の画線構成を利用し、潜像画像を出現させるもの、例えば、凹版印刷された万線に潜像画像となる画線部を高い画線で構成し、その他の凹版印刷画線の画線部を潜像画像となる画線部より低い画線で構成している。このことにより、印刷物の角度を変えて観察すると潜像画像が発現するものが開示されている。更に、画線の幅が均一で向きが異なることにより潜像画像を発現させるものがある（例えば、特許文献１参照）。
【特許文献１】特公昭５６−１９２７３号公報（第１頁、第１−１５図）
【０００４】
特定パターンを光学的変化インキとしてパール光沢インキを用いて印刷した多色印刷物であって、見る角度によって色が変わる干渉光を示す特定パターンを示し、更に、カラーコピー機による複写により前記パール光沢インキの色が目視でも識別可能な異なる色に再現されることを特徴とする印刷物が開示されている（例えば、特許文献２参照）。
【特許文献２】特開平９−２４０１３３号公報（第１−３頁、第１図）
【０００５】
また、前記凹版画線で構成した潜像を有する画像の下部又は上部に光学的変化インキによって印刷した画像を設けることにより、凹版画線のインキの盛りによる指感性、領域ごとの凹版画線の角度を変化させることによる潜像画像及び光学的変化インキの潜像画像の複写防止機能を備えた印刷物について開示されている（例えば、特許文献３参照）。
【特許文献３】特開２００４−９０３８１号公報（第３図）
【発明の開示】
【発明が解決しようとする課題】
【０００６】
しかしながら、特開２００４−９０３８１号公報の印刷物は、盛り上がりのある凹版画線で構成した潜像を有する画像の下部又は上部に光沢が変化する光学的変化インキを使用することで、印刷物を傾けて観察した場合に、ある範囲では本来なら両画像とも視認可能であるが、光学的変化インキによる光沢変化と、盛り上がりのあるインキによる等間隔の万線パターンから構成される画像の顕像変化との相互の相対的な画像の浮沈関係により、印刷物を正面から観察した場合に、二つのメッセージ画像両方ともに視認できないが、印刷物の観察角度を変えると二つの潜像が表出するところが特徴である。しかし、盛り上がりのある凹版画線で構成した潜像を有する該画像部は、印刷物のかなりの領域を占めるため正面から観察した場合に模様等が何もないと印刷物が単調になってしまうという問題点があった。
【０００７】
本発明は、上記背景技術の問題点を解決することを課題とする。具体的には、本発明は盛り上がりのあるインキによる潜像、光学的変化インキによる潜像の視認性及びカモフラージュの効果を落とさないとともに、印刷物の画像の領域が、単調なものとならない様に画像を付与した印刷物を提供することを課題とする。
【課題を解決するための手段】
【０００８】
本発明は、基材の表面に、光学的変化インキにより印刷された第１のメッセージ画像領域と、前記第１のメッセージ画像領域に重ねて、盛り上がりのあるインキにより印刷され、複数の画線からなる万線で構成された第２のメッセージ画像領域を有してなる画像形成体において、
前記第２のメッセージ画像領域は、少なくとも一つの情報部及び背景部を有してなり、
前記情報部及び前記背景部は互いの部内の画線方向が異なり、
前記情報部及び／又は前記背景部を含む領域に所定方向に万線の一部の位相をずらして形成された模様画像領域を設けたことを特徴とする画像形成体である。
【０００９】
また、本発明は、前記模様画像領域が、立体的なモチーフを二次元に表現したレリーフ模様であることを特徴とする画像形成体である。
【００１０】
また、前記光学的変化インキが、パールインキであることを特徴とする画像形成体である。
【発明の効果】
【００１１】
本発明の画像形成体は、基材の印刷を施した面に対して、垂直方向から徐々に水平方向に観察角度を変化させると、盛り上がりのあるインキによる第２のメッセージ画像領域の特定画像が視認でき、前記角度とは異なる角度で観察すると光学的変化インキによる第１のメッセージ画像領域の特定画像が視認される。更に、本発明の印刷物を複写機で複写した場合に盛り上がりのある画線は再現されることなく、更に盛り上がりのあるインキによる第２のメッセージ画像領域を構成する配列方向の異なる万線画線からなる画線の一部の位相をずらすことにより、各特定画像の視認性を低下させることなく潜像の存在をカモフラージュするとともに、印刷物が単調になることも防止している。
【００１２】
このようなことから、本発明は真偽判別、複写防止に優れているため、銀行券、株券、パスポート、有価証券、通行券、カード、商品タグ等の偽造、変造を防止する必要性のある貴重印刷物に適用できる。また、ホログラムのように高価でなく、少量生産にも向いている。
【００１３】
また、光学的変化インキにより印刷された第２のメッセージ画像領域は光学的変化インキ特有の複写防止効果に優れ、第１のメッセージ画像領域を構成する背景部と情報部は画線自体にインキの盛りを有するため指感性を有した印刷物となる。
【発明を実施するための最良の形態】
【００１４】
本発明に係る画像形成体の発明を実施するための最良の形態を図面に基づいて説明する。本発明は発明を実施するための最良の形態に限定されるものではなく、特許請求の範囲記載における技術的思想の範囲内であれば、その他のいろいろな実施の形態が考えられる。
【００１５】
図１は、基材（１）に光学的変化インキで印刷した第１のメッセージ画像領域（５）である。この第１のメッセージ画像領域（５）は、光学的変化インキ（例えばパールインキ）の特徴である角度によって視認できたり、できなかったりすることを利用し、潜像となる画像を基材に付与したものである。
【００１６】
図２は、盛り上がりのあるインキによる等間隔の線画からなる万線パターンから構成される第２のメッセージ画像領域を示したものである。この第２のメッセージ画像領域は、情報部（２）と背景部（３）とに区分けされ、情報部（２）と背景部（３）の線画の配列方向が異なった盛り上がりのある線画から構成される。この画線の配列を異ならせたことにより、所定の角度で第２のメッセージ画像領域に潜像画像が表出するものである。
【００１７】
図３は、図２に示した第２のメッセージ領域（２）に設ける模様画像領域の元となる模様画像（６）である。
【００１８】
図４は、図３に示した模様画像のデザインを万線画線の一部を曲折することにより立体的にレリーフ模様で表現した模様画像領域（７）である。図４（a）は、縦万線によるレリーフ模様である。図４（b）は、横万線によるレリーフ模様である。
本発明の万線及び万線を構成する画線については、ここで列記したもの以外の波万線、同心円万線等の万線の方向又は、破線等の画線の種類に限定されるものではない。
【００１９】
図５は、図２の情報部（２）を図４（ｂ）で構成し、図２の背景部（３）を図４（a）により構成したものである。
図６は、図１に示した基材（１）に光学的変化インキで印刷した第１のメッセージ画像領域（５）を設けたその上部に、図２に示した線画の配列方向が異なった盛り上がりのある線画により第２のメッセージ画像領域を重ねて印刷するとともに、第２のメッセージ画像領域を構成する情報部（２）及び背景部（３）の万線に、図４a及び図４bの模様領域を組み合わせた模様画像領域（７）（例えばレリーフ模様）を設けた本発明の画像形成体を示したものである。
【００２０】
また、本願発明の課題である印刷物が単調になるという点を解決するためのものとして、複数の画線の個々の画線の太さを変化することにより第１及び第２のメッセージ画像領域の潜像画像をカモフラージュする模様を入れることもできる。しかし、この印刷物では、印刷物を垂直方向から視認したときに画像が、単調になるという問題はなくなるが反対に第２のメッセージ画像領域の下部へ第１のメッセージ画像領域として光学的変化インキによる潜像を施した場合、下地の面積が狭くなるため潜像が視認しにくくなるとともに、盛り上がりのあるインキによる潜像も画線幅が変化すると視認しづらくなるという問題点もあったが、本発明によりそのような問題点も解決することができる。
【００２１】
ここで使用される光学的変化インキとして好ましくは、パールインキが良い。パールインキ中のパール顔料は、虹彩色パール顔料でも２色性パール顔料でもその他の鱗片状顔料でも構わない。また、パール顔料の粒子径の大きさは、１μｍ〜１５０μｍのものを用い、好ましくは５μｍ〜５０μｍである。また、平均粒径は、１０μｍ〜２５μｍ程度が好ましい。
【００２２】
本発明の画像形成体を正面から観察した場合に、図２に示した情報部（２）が、認識し難いようにするには、情報部（２）及び背景部（３）の画線のそれぞれの画線幅が３０μｍ〜６００μｍの範囲であることが好ましい。
【００２３】
更に情報部（２）の線画及び背景部（３）の画線のそれぞれの非画線幅が３０μｍ〜６００μｍの範囲であることが好ましい。
【００２４】
更に、万線パターンの画線幅の間隔は、等間隔にすることが好ましい。また、情報部（２）の画線と背景部（３）との画線の異なる配列方向の角度は、３０度程度から１５０度程度までの範囲であることが好ましい。更に、背景部（３）の線画の配列方向の角度を０度とした場合、情報部（２）の画線の異なる配列方向の角度は９０度程度が好ましい。また、例えば、背景部（３）に３つ情報部（２）を入れた場合、背景部（３）を０度とした場合、情報部（２）の画線の配列方向の角度は４５、９０又は１３５度程度に設定すればよい。
【００２５】
また、本発明の情報部（２）及び背景部（３）の画線において、各画線の画線幅を段階的及び連続的、又は段階的若しくは連続的に変化させることで、画像形成体を傾けることにより、任意の階調を有する潜像画像が表現され、偽造防止の向上を図ることができる。
【００２６】
更に、情報部（２）及び背景部（３）の各線画のインキの盛りが１０μｍ〜１５０μｍの範囲であることが好ましい。インキの盛りが１０μｍ未満であると、本発明の画像形成体を正面から連続的に傾けて観察した場合に、情報部（２）が明瞭に出現しにくくなり、１５０μｍを超えると作製上困難となる。
【００２７】
図２に示した情報部（２）及び背景部（３）の盛り上がりのある画線のインキには、酸化重合型インキ、ＵＶ硬化型インキ、電子線硬化型インキ、紫外線硬化及び酸化重合機能を併せ持つインキ（特許２１１３８８０号参照）、又は２液混合型インキが好ましい。印刷方式は特に限定されることはないが、凹版印刷方式又はスクリーン印刷方式が好ましい。
【００２８】
本発明の印刷に使用される印刷方式は特に限定されるものではないが、第１のメッセージ画像領域（５）はフレキソ印刷技法、オフセット印刷技法が好ましい。
また、情報部（２）及び背景部（３）は凹版印刷技法、スクリーン印刷技法を用いることが好ましい。また、印刷機の調整においては特別な調整は不要であり、一般的な設定で印刷することが可能である。
【００２９】
本発明の基材（１）は紙葉類、プラスチックフィルム、金属、布等を用いることができる。
【実施例】
【００３０】
以下、実施例を用いて本発明を更に詳細に説明するが、本発明の内容は、これらの実施例の範囲に限定されるものではない。
【００３１】
図１に示す潜像となる文字ＫのデザインでＰＳ版を作製し、本発明の第１のメッセージ画像領域（５）をパール顔料（メルク社製）を配合した光学的変化インキを用いて、フレキソ印刷方式で印刷し、図１に示す潜像画像を有する印刷物を得た。
次に、図２に示す情報部（２）及び背景部（３）の画線設計をコンピュータ上で、背景部（３）の画線の配列方向の角度を０度としたときに、情報部（２）の線画を９０度とし、背景部（３）及び情報部（２）のピッチ幅２００μｍ、画線幅１００μｍの線画から構成した。
【００３２】
得られた情報部（２）及び背景部（３）の構成をもとに、凹版版面を作製し、凹版インキ（黒）を用いて凹版印刷機で第１のメッセージ画像領域（５）の印刷物の上に重ね刷りを行い、紫外線照射装置で硬化させ、画像形成体を得た。
【００３３】
以上、本実施例に基づいて説明したが、本発明はこれに限定されるものでなく、特許請求の範囲記載における技術的思想の範囲内であれば、その他のいろいろな実施形態が考えられる。
【図面の簡単な説明】
【００３４】
【図１】本発明の画像形成体の光学的変化インキによる第１のメッセージ画像領域を示す。
【図２】本発明の画像形成体の盛り上がりのあるインキによる複数の画線からなる万線により構成される、第１のメッセージ画像領域の構成を示す。
【図３】本発明の画像形成体の盛り上がりのあるインキによる複数の画線からなる万線により構成される、模様画像領域のデザインとなる模様画像を示す。
【図４】（a）は、図３の模様画像を複数の縦画線からなる万線により立体的に表現したレリーフ模様を示す。（ｂ）図３の模様模様を複数の横画線からなる万線により立体的に表現したレリーフ模様を示す。
【図５】図２の情報部（２）に図４（b）の模様画像領域（７）を設け、図２の背景部(３)に図４（a）の模様画像領域（７）を設けた印刷物を示す。
【図６】図１の光学的変化インキによる潜像画像領域の上部に図１、図４a及び図４を組み合わせた本発明の画像形成体を示す。
【符号の説明】
【００３５】
１    基材
２    情報部
３    背景部
４    第２のメッセージ画像領域
５    第１のメッセージ画像領域
６    模様画像
７    模様画像領域
【図１】
2006123355.tif 000003
【図２】
2006123355.tif 000004
【図３】
2006123355.tif 000005
【図４】
2006123355.tif 000006
【図５】
2006123355.tif 000007
【図６】
2006123355.tif 000008